(57)【特許請求の範囲】
【請求項１】
空気調和機を据付ける種々の窓サッシの上下高さによって縦方向の寸法を本体枠からスライド枠を引き伸ばす事で調節する据付枠を備え、前記本体枠又はスライド枠の横桟底面又は上面の室外側端に後部フランジを設け、このフランジよりも室内側にネジ穴用フランジを設け、このネジ穴用フランジのネジ穴に取り付ける止めネジにて前記後部フランジと止めネジの間に窓サッシを挟持する空気調和機の窓据付装置に於いて、前記ネジ穴用フランジは前方に向かって傾斜し、後部フランジに対して所定角度に形成した事を特徴とする空気調和機の窓据付装置。
【請求項２】
前記止めネジの頭部を据付枠前面よりも突出する事を特徴とする請求項１記載の空気調和機の窓据付装置。
【発明の詳細な説明】
【０００１】
【発明の属する技術分野】
この発明は窓取付型の一体式空気調和機の据付装置に関するものである。
【０００２】
【従来の技術】
従来よりこの種の空気調和機は図６に示すように、外壁ａの木製窓縁部ｂの内側に金属製の窓サッシｃが取り付けられている。そしてこの窓サッシｃに空気調和機を据え付けるため据付枠ｄを使用している。この据付枠ｄは窓の高さに応じて上下寸法が調節できるように空気調和機を取り付ける本体枠ｅとこの本体枠ｅに摺動可能に結合したスライド枠ｆで構成され、窓の高さに合わせてスライド枠ｆを引き伸ばしながらドライバーを使用してネジｇにて本体枠ｅとスライド枠ｆをネジ止めし上下方向の動きを固定した後、前記窓サッシｃの縁ｈを前記据付枠ｄの上面と下面の室外側端に設けた後部フランジｉと、この後部フランジｉと平行に設けられたネジ穴用フランジｊに備えるネジｋにて挟んで固定していた。
【０００３】
【発明が解決しようとする課題】
しかしながら、この据付枠ｄを建物の鴨居又は窓縁部ｂや敷居又は窓縁部ｂへ取付る作業は難しく、特に窓縁部ｂと据付枠ｄの間の隙間が狭い場合にはネジ穴が見えにくかったり、ネジ止め作業に使用する長いドライバーが無かった場合には窓枠部ｂ等に作業者の手がぶつかりとても作業が行いづらいものだった。
【０００４】
【課題を解決するための手段】
この発明はこの点に着目し上記欠点を解決する為、空気調和機を据付ける種々の窓サッシの上下高さによって縦方向の寸法を本体枠からスライド枠を引き伸ばす事で調節する据付枠を備え、前記本体枠又はスライド枠の横桟底面又は上面の室外側端に後部フランジを設け、このフランジよりも室内側にネジ穴用フランジを設け、このネジ穴用フランジのネジ穴に取り付けるネジにて前記後部フランジと止めネジの間に窓サッシを挟持する空気調和機の窓据付装置に於いて、前記ネジ穴用フランジは前方に向かって傾斜し、後部フランジに対して所定角度に形成したものであり、また前記止めネジの頭部を据付枠前面よりも突出するようにしたものである。
【０００５】
【発明の実施の形態】
以下この発明の実施の形態を図面をもとに説明すれば、１は建物の外壁で開口の窓縁部２の内側に金属製の窓サッシ３が取り付けられている。
前記窓サッシ３の鴨居部４はガラス戸（図示せず）を導き雨水の侵入を抑える上レール５や端部６が垂下され、敷居部７は下レール８や端部９が立ち上げられている。
【０００６】
１０は窓取付用の一体型空気調和機（図示せず）を据付ける据付枠で、空気調和機を取付ける本体枠１１と窓の高さに応じてこの本体枠１１より摺動自在に結合したスライド枠１２で構成されている。
前記本体枠１１はアルミ押出し成形品で構成され、上下に２本の横桟１１ａと左右に２本の縦桟１１ｂによって縦長方形に組立られている。
【０００７】
前記スライド枠１２は上側に１本の横桟１２ａと左右に２本の縦桟１２ｂをコの字形に組立て、この縦桟１２ｂを前記本体枠１１の縦桟１１ｂ内に上方からスライドして収納させている。
前記本体枠１１の縦桟１１ｂ上部側面には穴１１ｃを設け、この穴１１ｃに対向するスライド枠１２の縦桟１２ｂに摺動方向に溝１２ｃを形成している。
【０００８】
１３は係止ボルトで扁平縦長のボルト頭部１３ａが前記スライド枠１２の溝１２ｃ内側を摺動し、ボルトネジ部１３ｂが前記本体枠１１の穴１１ｃを貫通するもので、このボルトネジ部１３ｂにナット１４を螺合し締め込むことでボルト頭部１３ａとナット１４の間に溝１２ｃ左右のスライド枠縦桟１２ｂと本体枠縦桟１１ｂを密着させ本体枠１１とスライド枠１２の縦方向の摺動を阻止するものであり、左右の対照位置にそれぞれ１セットづつ設けられている。
【０００９】
また前記ボルト頭部１３ａとスライド枠１２との接触面には突起１３ｃを設けることでナット１４締め込み時にスライド枠１２内面に食い込んでより縦方向の摺動を阻止する力を高めるものであり、前記ナット１４の側面を大きくローレット状にしてドライバーを使用せずとも素手でナット締めができるものである。もちろんナット１４を蝶ナットやその他プラスチック成形等によって素手でもナット締めが行いやすい形状に設けても良い。また前記ボルトネジ部１３ｂの長さ寸法Ａは溝１２ｃの奥行き寸法Ｂよりも大きいので据付作業時に誤ってナット１４が外れてしまっても係止ボルト１３が本体枠１１の内側へ落ちるような事がないものである。
【００１０】
前記スライド枠１２の横桟１２ａの上面１５には後部フランジ１６を立ち上げ、この後部フランジ１６よりも前方にネジ穴用フランジ１７を備え、このフランジ１７にネジ穴１８を形成し、前記後部フランジ１６とネジ穴用フランジ１７の間に窓サッシ３の端部６を位置させ、前記ネジ穴１８に止めネジ１９をネジ込んで止めネジ１９先端と後部フランジ１６で端部６を挟んで固定するものである。
【００１１】
前記後部フランジ１６は上面１５に垂直に立ち上げられているが、ネジ穴用フランジ１７は後部フランジ１６よりも少し前方に向かって約１０度傾斜して設けられているので上部の止めネジ１９を下方より取り付けることができ据付作業がとても行いやすくなるものであり、また止めネジ１９の頭部１９ａは据付枠１０前面よりも突出して設けてあるので、例え前記窓縁部２が室内に張り出して上面１５と窓縁部２との隙間が狭い場合でも極めて簡単に据付作業が行えるものである。
【００１２】
またネジ穴用フランジ１７の更に前方には前部フランジ２０を備えている。この前部フランジ２０には前記ネジ穴１８に対向してこのネジ穴１８よりも大きい径の穴２１を設け、据付け作業時にネジ穴１８の位置を作業者にわかりやすく、またネジ穴１８に対して真っ直ぐにネジ止めができるようにするもので、前部フランジ２０の位置と止めネジ１９の長さを調節すれば、止めネジ１９の締め込み過ぎによる、アルミニューム製等の窓サッシ端部６や後部フランジ１６の変形を防止する事ができるものである。
【００１３】
また前記本体枠１１の横桟１１ａの下面２２にも前記上面１５とは上下反対方向ではあるが同様の後部フランジ２３・ネジ穴用フランジ２４・前部フランジ２５・止めネジ２６を設け、前記後部フランジ２３と止めネジ２６で端部９を挟んで固定しているものであり、ネジ穴用フランジ２４は後部フランジ２３よりも少し前方に向かって約１０度傾斜して設けられ止めネジ２６を上方から取り付けることができるものであり、横桟１１ａは下方に有るためネジ止め作業はやや上方向から行えるようになり据付作業がとても行いやすくなるものである。また止めネジ２６の頭部２６ａは据付枠１０前面よりも突出して設けてあるので、例え前記窓枠部２が室内に張り出して下面２２と窓枠部２との隙間が狭い場合でも極めて簡単に据付作業が行えるものである。
【００１４】
２７は蛇腹板で前記スライド枠１２の伸縮にともなって伸縮し空気調和機上方の据付枠１０に開口ができることを防止するものである。
２８は据付枠１０と引き戸（図示せず）との間の隙間を塞ぐゴム板状の閉塞部材で、前記据付枠１０縦桟１１ｂ・１２ｂの後方に取り付けられるものであり、２９は本体枠１１の側面に取り付けられた窓ストッパで、空気調和機運転時に誤って引き戸を閉じてしまうことを防止するものである。
【００１５】
据付作業について説明すれば、本体枠１１の下面２２の後部フランジ２３を敷居部７の端部９の室外側側面に合わせ、スライド枠１２を本体枠１１から引き出して上方に徐々にスライドさせスライド枠１２上面１５に備えた後部フランジ１６を鴨居部４の端部６の室外側側面に合わせながら押し上げれば、スライド枠１２は本体枠１１から好適な寸法で引き出され左右の縦桟１１ｂのナット１４を締めれば、係止ボルト１３の突起１３ｃがスライド枠１２の内面に食い込みスライド枠１２の高さ方向の動きを阻止するものである。
【００１６】
次に上下の横桟１１ａ・１２ａにそれぞれ備える止めネジ１９・２６を締めれば、後部フランジ１６・２３と止めネジ１９・２６との間に窓サッシ３の端部６・９が固定される。そして据付枠１０に空気調和機を固定すれば据付が終了する。
また据付枠１０を取り外すには、空気調和機を本体枠１０から取り外して上下の横桟１１ａ・１２ａにそれぞれ備える止めネジ１９・２６を緩め、左右のナット１４を緩めれば簡単に据付枠１０を窓サッシ３から外す事ができるものである。
【００１７】
このようにネジ穴用フランジ１７は後部フランジ１６よりも少し前方に向かって約１０度傾斜して設けられ上部の止めネジ１９を下方より取り付けることができ、またネジ穴用フランジ２４は後部フランジ２３よりも少し前方に向かって約１０度傾斜して設けられ止めネジ２６を上方から取り付けることができるものであり、また止めネジ１９・２６の頭部１９ａ・２６ａは据付枠１０前面よりも突出して設けてあるので、窓枠部２が室内に張り出して据付枠１０と窓枠部２との隙間が狭い場合でも極めて簡単に据付作業が行えるようになり、据付作業に要する時間も少なくなるものである。
【００１８】
【発明の効果】
以上のようにこの発明によれば、窓枠部２が室内に張り出して据付枠１０と窓枠部２との隙間が狭い場合でも極めて簡単に据付作業が行えるようになり、据付作業に要する時間も少なくなるものである。
【図面の簡単な説明】
【図１】この発明一実施例の斜視図。
【図２】同要部側面の拡大断面図。
【図３】同要部平面の拡大断面図。
【図４】同要部の拡大斜視図。
【図５】同要部の拡大斜視図。
【図６】従来例の斜視図。
【符号の説明】
２  窓縁部
３  窓サッシ
１０  据付枠
１１  本体枠
１２  スライド枠
１６  後部フランジ
１７  ネジ穴用フランジ
１９  止めネジ
２３  後部フランジ
２４  ネジ穴用フランジ
２６  止めネジ
【図１】
0004105396.tif 000002
【図２】
0004105396.tif 000003
【図３】
0004105396.tif 000004
【図４】
0004105396.tif 000005
【図５】
0004105396.tif 000006
【図６】
0004105396.tif 000007